(57)【要約】【課題】液晶装置等の電気光学装置において、位相差補正回路に起因した、電源電位におけるノイズ等の信号ノイズを低減し、高品位な表示を行う。【解決手段】電気光学装置において、第１電源配線（８１）は、接続端子（１０２）から、位相差補正回路（１０８）の第２辺側に沿って延在し、データ線駆動回路（１０１）における接続端子とは反対側へ引き回されており、データ線駆動回路における接続端子とは反対側において第１辺に沿うように形成された第１本線部分（８１１）を有する本線部（８１０ａ）と、この本線部における第１本線部分よりも接続端子に近い側から分岐されると共に位相差補正回路及び本線部を電気的に接続する分岐配線部（８１０ｂ）とを有する。【選択図】図７
2010128253.tif 000002
【特許請求の範囲】
【請求項１】
基板上に、
複数の画素が配列された画素領域の周辺に位置する周辺領域において前記基板の第１辺に沿って配置されておりデータ線を介して前記画素を駆動するためのデータ線駆動回路と、
前記周辺領域において前記第１辺の縁に沿って配列された複数の接続端子と、
該複数の接続端子から前記データ線駆動回路へ引き回される、クロック信号を供給するためのクロック信号線、前記クロック信号に対して位相が反転している反転クロック信号を供給するための反転クロック信号線、及び第１電源電位を供給するための第１電源配線を含む、複数の引回配線と、
前記周辺領域において、前記データ線駆動回路に対して前記第１辺に隣接する第２辺側に配置されており、前記クロック信号及び前記反転クロック信号の位相差を補正する位相差補正回路と
を備え、
前記第１電源配線は、
前記基板上で平面的に見て、前記接続端子から、前記位相差補正回路の前記第２辺側に沿って延在し、前記データ線駆動回路における前記接続端子とは反対側へ引き回されており、前記データ線駆動回路における前記接続端子とは反対側において前記第１辺に沿うように形成された第１本線部分を有する本線部と、
該本線部における前記第１本線部分よりも前記接続端子に近い側から分岐されると共に前記位相差補正回路及び前記本線部を電気的に接続する分岐配線部と
を有する
ことを特徴とする電気光学装置。
【請求項２】
前記本線部は、前記データ線駆動回路に対して前記接続端子と同じ側において前記第１辺に沿うように形成された第２本線部分を有し、
前記分岐配線部は、前記第２本線部分から分岐される
ことを特徴とする請求項１に記載の電気光学装置。
【請求項３】
前記周辺領域において前記第２辺に沿って配置されており走査線を介して前記画素を駆動するための走査線駆動回路と、
前記複数の接続端子のうち、前記基板上で平面的に見て、前記第１電源配線が電気的に接続された第１電源端子よりも前記第２辺に近い端子から、前記走査線駆動回路に引き回されており、前記位相差補正回路よりも前記第２辺に近い側において前記第２辺に沿うように形成された配線部分を有する走査線駆動用配線と
を備え、
前記本線部は、前記基板上で平面的に見て、前記位相差補正回路と前記走査線駆動回路用配線における前記第２辺に沿うように形成された配線部分との間に、前記第２辺に沿うように形成された第３本線部分を有する
ことを特徴とする請求項１又は２に記載の電気光学装置。
【請求項４】
前記複数の引回配線は、前記第１電源電位とは異なる第２電源電位を供給する第２電源配線を更に含み、
前記クロック信号線及び前記反転クロック信号線の各々は、前記複数の接続端子のうち、前記第１電源配線が電気的に接続される第１電源端子と前記第２電源配線が電気的に接続される第２電源端子との間に位置する端子に電気的に接続され、且つ、少なくとも部分的に、前記基板上で平面的に見て、前記第１電源配線及び前記第２電源配線の間に形成されている
ことを特徴とする請求項１から３のいずれか一項に記載の電気光学装置。
【請求項５】
請求項１から４のいずれか一項に記載の電気光学装置を具備してなることを特徴とする電子機器。
【発明の詳細な説明】
【技術分野】
【０００１】
本発明は、例えば液晶装置等の電気光学装置、及び該電気光学装置を備えた、例えば液晶プロジェクタ等の電子機器の技術分野に関する。
【背景技術】
【０００２】
この種の電気光学装置では、画素電極等の表示用電極や、これを駆動するためのデータ線駆動回路、走査線駆動回路等の回路部が設けられた基板上に、その一辺の縁に沿って、複数の外部回路接続端子が配列されている。基板上には更に、これら複数の外部回路接続端子から走査線駆動回路やデータ線駆動回路等の回路部へと引き回される複数の引回配線が配線される。ここで、データ線駆動回路は、外部回路接続端子が設けられた基板の一辺に沿って設けられ、走査線駆動回路は、その一辺の両側に位置する二つの辺の少なくとも一方に沿って設けられる場合が多い。
【０００３】
このようなデータ線駆動回路に対しては、その駆動動作の基本となるクロック信号とこれに対して位相が反転している反転クロック信号とが、外部回路から外部回路接続端子及び引回配線を介して供給される。この際、クロック信号と反転クロック信号との位相は、正確に反転位相であることが是非望ましいため、基板上には更に、両クロック信号の位相を反転位相にするように補正する位相差補正回路が設けられる（特許文献１から３参照）。
【０００４】
例えば特許文献３では、データ線駆動回路や位相差補正回路などを含む各回路に電源電位を供給する電源配線について、位相差補正回路に起因した電源電位におけるノイズ（例えば、電源配線上の電源電位に対して、クロック信号及び反転クロック信号の立ち上がりや立下りに応じて発生するスパイク状のノイズ）を低減する技術が提案されている。このような電源電位におけるノイズは、最終的には、画像表示領域に系列ムラや帯状のムラ等の表示上の不具合を招いてしまうおそれがある。
【０００５】
【特許文献１】特許第３５３６６５７号公報
【特許文献２】特許第３８４１０７２号公報
【特許文献３】特開２００６−２１５３７７号公報
【発明の開示】
【発明が解決しようとする課題】
【０００６】
しかしながら、上述した特許文献３に開示された技術では、位相差補正回路に起因した電源信号におけるノイズを十分に低減できないおそれがあるという技術的問題点がある。更に、電源配線以外の他の配線における信号（例えば、走査線駆動回路を制御するための各種制御信号）に、位相差補正回路に起因したノイズが発生してしまうおそれがあるという技術的問題点もある。
【０００７】
本発明は、例えば上述した問題点に鑑みなされたものであり、位相差補正回路に起因した、例えば電源信号におけるノイズ等の信号ノイズが低減されており、高品位な表示を行うことが可能な電気光学装置及びそのような電気光学装置を具備してなる電子機器を提供することを課題とする。
【課題を解決するための手段】
【０００８】
本発明の電気光学装置は上記課題を解決するために、基板上に、複数の画素が配列された画素領域の周辺に位置する周辺領域において前記基板の第１辺に沿って配置されておりデータ線を介して前記画素を駆動するためのデータ線駆動回路と、前記周辺領域において前記第１辺の縁に沿って配列された複数の接続端子と、該複数の接続端子から前記データ線駆動回路へ引き回される、クロック信号を供給するためのクロック信号線、前記クロック信号に対して位相が反転している反転クロック信号を供給するための反転クロック信号線、及び第１電源電位を供給するための第１電源配線を含む、複数の引回配線と、前記周辺領域において、前記データ線駆動回路に対して前記第１辺に隣接する第２辺側に配置されており、前記クロック信号及び前記反転クロック信号の位相差を補正する位相差補正回路とを備え、前記第１電源配線は、前記基板上で平面的に見て、前記接続端子から、前記位相差補正回路の前記第２辺側に沿って延在し、前記データ線駆動回路における前記接続端子とは反対側へ引き回されており、前記データ線駆動回路における前記接続端子とは反対側において前記第１辺に沿うように形成された第１本線部分を有する本線部と、該本線部における前記第１本線部分よりも前記接続端子に近い側から分岐されると共に前記位相差補正回路及び前記本線部を電気的に接続する分岐配線部とを有する。
【０００９】
本発明の電気光学装置によれば、その動作時には、外部回路から接続端子及び引回配線を経由して、データ線駆動回路を動作させるための、クロック信号、反転クロック信号、第１電源信号、画像信号等の各種信号がデータ線駆動回路に供給される。これと並行して、例えば、外部回路から接続端子及び走査線駆動回路用配線を経由して、走査線駆動回路を動作させるための、クロック信号、反転クロック信号、電源信号等の各種信号が走査線駆動回路に供給される。これらにより、データ線駆動回路によりデータ線を介して画像信号が画素に供給されると共に、走査線駆動回路により走査線を介して走査信号が画素に供給され、例えば液晶等の電気光学物質を各画素で駆動することで、アクティブマトリクス駆動が行なわれる。この際、クロック信号線及び反転クロック信号線の途中に配置された位相差補正回路により、クロック信号及び反転クロック信号の位相差は補正されている。言い換えれば、位相差補正回路により、クロック信号及び反転クロック信号の位相差を、相互に反転位相に近付けるように、理想的には、実践な意味で、相互に反転位相とするように補正が行われている。このように位相差補正回路による補正動作によってクロック信号（言い換えれば、正転クロック信号）と反転クロック信号との間のタイミングの調整は適切に行なわれている。尚、このような走査線及びデータ線は、例えば、基板上に相互に交差するように且つ夫々複数配線される。また、このような画素は、例えば、画素電極と、走査線にゲートが接続され且つデータ線から供給される画像信号を走査線から供給される走査信号に応じて画素電極へ選択的に供給する画素スイッチング用のＴＦＴとを有する。
【００１０】
本発明では、データ線駆動回路は、基板の第１辺に沿って配置されており、この第１辺の縁に沿って複数の接続端子が配列されている。位相差補正回路は、データ線駆動回路に対して第１辺に隣接する第２辺側に配置されている。即ち、位相差補正回路は、データ線駆動回路よりも第２辺に近い側に配置されている。クロック信号線及び反転クロック信号線は、接続端子からデータ線駆動回路へ引き回されており、例えば、各々の途中において位相差補正回路に電気的に接続されている。
【００１１】
本発明では特に、データ線駆動回路及び位相差補正回路に、例えばグランド電位（或いは低電位側電源電位）等の第１電源電位を供給する第１電源電位線は、（i）接続端子から、位相差補正回路の第２辺側（例えば右側）に沿って延在し、データ線駆動回路における接続端子とは反対側（即ち、データ駆動回路における出力側、つまり、データ線回路における、データ線と電気的に接続される側、言い換えれば、データ線駆動回路における画素領域に近い側）へ引き回されており、データ線駆動回路における接続端子とは反対側において第１辺に沿うように（言い換えれば、複数の接続端子が配列された方向、即ち、データ線と交わる方向或いは走査線が延びる方向に延びるように）形成された第１本線部分を有する本線部と、（ii）本線部における第１本線部分よりも接続端子に近い側から分岐されると共に位相差補正回路及び本線部を電気的に接続する分岐配線部とを有している。ここで、本発明に係る「分岐配線部」が「本線部における第１本線部分よりも接続端子に近い側から分岐される」とは、接続端子からデータ線駆動回路へ引き回される本線部のうち、接続端子からデータ線駆動回路へ引き回される経路上で見て、第１本線部分よりも接続端子に近い側において分岐配線が分岐されることを意味し、典型的には、分岐配線が、本線部における第１本線部分とは異なる部分から分岐されることを意味する。よって、第１電源配線は、接続端子から見れば、データ線駆動回路よりも先に位相差補正回路に電気的に接続されている。言い換えれば、第１電源配線のうち、接続端子から位相差補正回路に至る配線部分の配線長は、接続端子からデータ線駆動回路に至る配線部分の配線長よりも短い。よって、第１電源配線における、位相差補正回路に対して第１電源電位を供給する配線部分の配線抵抗を小さくすることができ、位相差補正回路に起因した第１電源電位におけるノイズ（例えば、第１電源配線上の第１電源電位に対して、クロック信号及び反転クロック信号の立ち上がりや立下りに応じて発生するスパイク状のノイズ）を低減することができる。従って、データ線駆動回路及び位相補正回路に、外部回路から接続端子及び第１電源配線を介して安定して第１電源電位を供給することができる。この結果、第１電源電位におけるノイズによって表示上の不具合が発生することを低減或いは防止することができる。
【００１２】
更に、本線部は、接続端子から、位相差補正回路の第２辺側（例えば右側）沿って延在し、データ線駆動回路における接続端子とは反対側へ引き回されているので、本線部（より具体的には、本線部のうち位相差補正回路よりも第２辺に近い側に形成された部分）によって、位相差補正回路と、本線部よりも第２辺に近い側に形成される配線（例えば、走査線駆動回路を駆動するためのクロック信号、反転クロック信号等の各種制御信号を供給するための配線）との間での電磁的な悪影響を及ぼし合うことを低減或いは防止することができる。即ち、本線部の一部は、位相差補正回路と、本線部よりも第２辺に近い側に形成される配線との間における電磁シールドとして機能することができる。従って、画素領域において高品位な表示を行うことが可能となる。
【００１３】
以上説明したように、本発明の電気光学装置によれば、位相差補正回路に起因した、例えば第１電源電位におけるノイズ等の信号ノイズが低減されており、高品位な表示を行うことが可能となる。
【００１４】
本発明の電気光学装置の一態様では、前記本線部は、前記データ線駆動回路に対して前記接続端子と同じ側において前記第１辺に沿うように形成された第２本線部分を有し、前記分岐配線部は、前記第２本線部分から分岐される。
【００１５】
この態様によれば、第１電源配線のうち、接続端子から位相差補正回路に至る配線部分の配線長を、接続端子からデータ線駆動回路に至る配線部分の配線長よりも、より確実に短くすることができる。よって、第１電源配線における、位相差補正回路に対して第１電源電位を供給する配線部分の配線抵抗をより小さくすることができる。従って、位相差補正回路に起因した第１電源電位におけるノイズをより一層確実に低減或いは防止することができる。
【００１６】
本発明の電気光学装置の他の態様では、前記周辺領域において前記第２辺に沿って配置されており走査線を介して前記画素を駆動するための走査線駆動回路と、前記複数の接続端子のうち、前記基板上で平面的に見て、前記第１電源配線が電気的に接続された第１電源端子よりも前記第２辺に近い端子から、前記走査線駆動回路に引き回されており、前記位相差補正回路よりも前記第２辺に近い側において前記第２辺に沿うように形成された配線部分を有する走査線駆動用配線とを備え、前記本線部は、前記基板上で平面的に見て、前記位相差補正回路と前記走査線駆動回路用配線における前記第２辺に沿うように形成された配線部分との間に、前記第２辺に沿うように形成された第３本線部分を有する。
【００１７】
この態様によれば、第１電源配線における第３本線部分を、位相差補正回路と走査線駆動用配線との間の電磁的な悪影響を低減或いは防止する電磁シールドとして機能させることが可能となる。
【００１８】
本発明の電気光学装置の他の態様では、前記複数の引回配線は、前記第１電源電位とは異なる第２電源電位を供給する第２電源配線を更に含み、前記クロック信号線及び前記反転クロック信号線の各々は、前記複数の接続端子のうち、前記第１電源配線が電気的に接続される第１電源端子と前記第２電源配線が電気的に接続される第２電源端子との間に位置する端子に電気的に接続され、且つ、少なくとも部分的に、前記基板上で平面的に見て、前記第１電源配線及び前記第２電源配線の間に形成されている。
【００１９】
この態様によれば、第１電源配線、第２電源配線、クロック信号線及び反転クロック信号線を、接続端子からデータ線駆動回路に至るまで、殆ど互いに交差しないように、基板上に平面レイアウトすることができる。言い換えれば、第１電源配線、第２電源配線、クロック信号線及び反転クロック信号線を、これらが互いに交差する数が比較的少ない平面レイアウトを容易に実現可能である。
【００２０】
本発明の電子機器は、上述した本発明の電気光学装置を具備してなるので、高品位な表示を行うことが可能な、テレビ、携帯電話、電子手帳、ワードプロセッサ、ビューファインダ型又はモニタ直視型のビデオテープレコーダ、ワークステーション、テレビ電話、ＰＯＳ端末、タッチパネルなど、更には電気光学装置を露光用ヘッドとして用いたプリンタ、コピー、ファクシミリ等の画像形成装置など、各種電子機器を実現できる。また、本発明の電子機器として、例えば、電子ペーパなどの電気泳動装置、電子放出装置（Field Emission Display及びConduction Electron-Emitter Display）等を実現することも可能である。
【００２１】
本発明の作用及び他の利得は次に説明する実施するための最良の形態から明らかにされる。
【発明を実施するための最良の形態】
【００２２】
以下では、本発明の実施形態について図を参照しつつ説明する。以下の実施形態では、本発明の電気光学装置の一例である駆動回路内蔵型のＴＦＴアクティブマトリクス駆動方式の液晶装置を例にとる。
【００２３】
＜第１実施形態＞
第１実施形態に係る電気光学装置について、図１から図７を参照して説明する。
【００２４】
先ず、本実施形態に係る電気光学装置の全体構成について、図１及び図２を参照して説明する。
【００２５】
図１は、本実施形態に係る電気光学装置の構成を示す平面図であり、図２は、図１のＨ−Ｈ’線での断面図である。
【００２６】
図１及び図２において、本実施形態に係る電気光学装置では、ＴＦＴアレイ基板１０と対向基板２０とが対向配置されている。ＴＦＴアレイ基板１０と対向基板２０との間に液晶層５０が封入されており、ＴＦＴアレイ基板１０と対向基板２０とは、複数の画素が配列された画素領域たる画像表示領域１０ａの周囲に位置するシール領域に設けられたシール材５２により相互に接着されている。
【００２７】
図１において、シール材５２が配置されたシール領域の内側に並行して、画像表示領域１０ａの額縁領域を規定する遮光性の額縁遮光膜５３が、対向基板２０側に設けられている。周辺領域のうち、シール材５２が配置されたシール領域の外側に位置する領域には、データ線駆動回路１０１及び本発明に係る「接続端子」の一例である外部回路接続端子１０２がＴＦＴアレイ基板１０の一辺に沿って設けられている。この一辺に沿ったシール領域よりも内側に、サンプリング回路３０１が額縁遮光膜５３に覆われるようにして設けられている。また、走査線駆動回路１０４は、この一辺に隣接する２辺に沿ったシール領域の内側に、額縁遮光膜５３に覆われるようにして設けられている。また、ＴＦＴアレイ基板１０上には、対向基板２０の４つのコーナー部に対向する領域に、両基板間を上下導通材１０７で接続するための上下導通端子１０６が配置されている。これらにより、ＴＦＴアレイ基板１０と対向基板２０との間で電気的な導通をとることができる。
【００２８】
ＴＦＴアレイ基板１０上には、外部回路接続端子１０２と、データ線駆動回路１０１、走査線駆動回路１０４、上下導通端子１０６等とを電気的に接続するための引回配線９０が形成されている。
【００２９】
図２において、ＴＦＴアレイ基板１０上には、駆動素子である画素スイッチング用のＴＦＴ（Thin Film Transistor）や走査線、データ線等の配線が作り込まれた積層構造が形成されている。画像表示領域１０ａには、画素スイッチング用ＴＦＴや走査線、データ線等の配線の上層に画素電極９ａが設けられている。他方、対向基板２０におけるＴＦＴアレイ基板１０との対向面上に、遮光膜２３が形成されている。そして、遮光膜２３上に、ＩＴＯ（Indium Tin Oxide）等の透明材料からなる対向電極２１が複数の画素電極９ａと対向して形成されている。
【００３０】
尚、ここでは図示しないが、ＴＦＴアレイ基板１０上には、データ線駆動回路１０１、走査線駆動回路１０４の他に、後述する位相差補正回路１０８等が形成されている。これに加えて、製造途中や出荷時の当該液晶装置の品質、欠陥等を検査するための検査回路、検査用パターン等が形成されていてもよい。
【００３１】
次に、本実施形態における、外部回路接続端子の配列及び引回配線のレイアウトについて、図３及び図４を参照して説明する。
【００３２】
図３は、図１の電気光学装置における外部回路接続端子の配列及び引回配線のレイアウトを示す部分拡大平面図である。図４は、変形例における画像信号線のレイアウトを示す部分拡大図である。
【００３３】
図３に示すように、本実施形態に係る電気光学装置は、複数の外部回路接続端子１０２と、複数の外部回路接続端子１０２からデータ線駆動回路１０１へ引き回される、画像信号ＶＩＤを供給するための画像信号線９１、クロック信号ＣＬＸを供給するためのクロック信号線９２、クロック信号ＣＬＸに対して位相が反転している反転クロックを供給するための反転クロック信号線９３、第１電源電位ＶＳＳＸを供給するための第１電源配線８１、及び第１電源電位ＶＳＳＸよりも高い第２電源電位ＶＤＤＸを供給するための第２電源配線８２を含む、複数の引回配線９０を備えている。更に、本実施形態に係る電気光学装置は、クロック信号線９２及び反転クロック信号線９３に電気的に接続されており、クロック信号ＣＬＸ及び反転クロック信号ＣＬＸＢの位相が互いに反転位相に近付けるように（望ましくは完全な反転位相となるように）、クロック信号ＣＬＸ及び反転クロック信号ＣＬＸＢの位相差を補正する位相差補正回路１０８を備えている。
【００３４】
位相差補正回路１０８は、データ線駆動回路１０１に対して、ＴＦＴアレイ基板１０の第２辺（外部回路接続端子１０２が配列された第１辺に隣接する２つの辺の一方）側、即ち、図３中、データ線駆動回路１０１より右側に配置されている。
【００３５】
画像信号線９１は、ＴＦＴアレイ基板１０上で平面的に見て、外部回路接続端子１０２から、データ線駆動回路１０１における第３辺（外部回路接続端子１０２が配列された第１辺に隣接する２つの辺の他方、即ち、第２辺に対向する辺）側、即ち、図３中、データ線駆動回路１０１の左側へ引き回されている。クロック信号線９２、反転クロック信号線９３、第１電源配線８１及び第２電源配線８２は、ＴＦＴアレイ基板１０上で平面的に見て、外部回路接続端子１０２から、データ線駆動回路１０１における第２辺側（図３中、右側）へ引き回されている。
【００３６】
データ線駆動回路１０１は、シフトレジスタ４０１、選択回路４０２及びバッファ回路４０３を含んで構成されている。シフトレジスタ４０１は、シフトレジスタ４０１の各段から転送信号を出力し、選択回路４０２及びバッファ回路４０３を介してサンプリング回路３０１に供給する機能を有している。
【００３７】
複数の引回配線９０は、データ線駆動回路１０１が画像信号ＶＩＤをサンプリングする際のサンプリング期間を制限するイネーブル信号ＥＮＢを供給するためのイネーブル供給線９５を更に含み、イネーブル供給線９５は、ＴＦＴアレイ基板１０上で平面的に見て、データ線駆動回路１０１における第２辺側（図３中、右側）に引き回されている。
【００３８】
更にまた、複数の引回配線９０は、走査線駆動回路１０４に接続された複数の走査線駆動用配線９９を含んでいる。複数の走査線駆動用配線９９のうち、制御信号ＤＹを供給するため走査線駆動用配線９９は、複数の外部回路接続端子１０２のうち、ＴＦＴアレイ基板１０上で平面的に見て、画像信号端子１０２ｖと比べて第３辺側（図３中、左側）に近い端子から引き回されている。走査線駆動用配線９９のうち、制御信号ＤＩＲＹ、電源信号ＶＤＤＹを供給するための走査線駆動用配線９９は、複数の外部回路接続端子１０２のうち、ＴＦＴアレイ基板１０上で平面的に見て、クロック信号線９２、反転クロック信号線９３、第１電源配線８１が接続された端子と比べて第２辺（図３中、右側）に近い端子から引き回されている。
【００３９】
次に、このように構成された本実施形態に係る電気光学装置の動作について、図３及び図４を参照して説明する。
【００４０】
図３及び図４において、本実施形態に係る電気光学装置の動作時には、外部回路接続端子１０２にＦＰＣ（Flexible Printed Circuits：フレキシブルプリント基板）等を介して接続された外部回路から外部回路接続端子１０２及び引回配線９０を経由して、データ線駆動回路１０１を動作させるための、クロック信号ＣＬＸ、反転クロック信号ＣＬＸＢ、第１電源電位ＶＳＳＸ、第２電源電位ＶＤＤＸ及び画像信号ＶＩＤ等の各種信号がデータ線駆動回路１０１に供給される。これと並行して、外部回路から外部回路接続端子１０２及び引回配線９０を経由して、走査線駆動回路１０４を動作させるための、クロック信号ＣＬＹ、反転クロック信号ＣＬＹＢ、第１電源電位ＶＳＳＹ、第２電源電位ＶＤＤＹ等の各種信号が走査線駆動回路１０４に供給される。これらにより、データ線駆動回路１０１によりデータ線６を介して画像信号ＶＩＤが画素部に供給されると共に、走査線駆動回路１０４により走査線３を介して走査信号が画素部に供給され、電気光学物質の一例である液晶を各画素部で駆動することで、アクティブマトリクス駆動が行なわれる。
【００４１】
尚、ここでは説明の簡便のために画像信号線９１は一本とし、サンプリング回路３０１を構成するいずれのサンプリングスイッチもこの画像信号線９１から画像信号ＶＩＤを供給されるようにしているが、図４に変形例として示すように、画像信号は、シリアル−パラレル展開（即ち、相展開）されていてもよい。画像信号線９１からの分岐配線１１６は、サンプリング回路３０１を構成するＴＦＴ等からなるサンプリングスイッチ３０２のソースに接続されており、データ線駆動回路１０１からのサンプリング回路駆動信号線１１７は、サンプリングスイッチ３０２のゲートに接続されている。よって、電気光学装置の動作時には、外部回路から画像信号端子１０２ｖに印加される画像信号は、画像信号線９１からの分岐配線１１６を経てサンプリング回路３０１へ供給される。ここで、サンプリング回路３０１へ供給される画像信号は、６相にシリアル−パラレル展開された画像信号の夫々に対応して、６本のデータ線６の組に対してグループ毎に供給される。そして、画像信号は、データ線駆動回路１０１からサンプリング回路駆動信号線１１７を経て供給される、シフトレジスタ出力に基づくサンプリング回路駆動信号に応じたタイミングで、サンプリングされる。サンプリングされた画像信号は、各データ線６に供給されることになる。従って、本変形例によれば、サンプリング回路３０１におけるサンプリングの周波数、言い換えればデータ線駆動回路１０１における駆動周波数の上昇を抑えつつ、次に詳述するように位相差補正回路１０８に起因した電源信号におけるノイズを低減することで、より一層高品位の画像表示を行うことが可能となる。
【００４２】
この際、クロック信号線９２及び反転クロック信号線９３に電気的に接続された位相差補正回路１０８による補正動作によって、クロック信号ＣＬＸ（言い換えれば、正転クロック信号）と反転クロック信号ＣＬＸＢとの間のタイミングの調整は適切に行なわれている。即ち、クロック信号ＣＬＸと反転クロック信号ＣＬＸＢの位相は、相互に反転位相とされている。尚、このような走査線３及びデータ線６は、ＴＦＴアレイ基板１０上に相互に交差するように且つ夫々複数配線されている。また、画像表示領域１０ａにマトリクス状に配列される画素部は、夫々、画素毎に設けられた画素電極９ａと、走査線３にゲートが接続され且つデータ線６から供給される画像信号ＶＩＤを走査線から供給される走査信号に応じて画素電極９ａへ選択的に供給する、画素毎に設けられた画素スイッチング用のＴＦＴとを有している。
【００４３】
次に、位相差補正回路１０８について、図３、図５及び図６を参照して説明する。
【００４４】
図５は、位相差補正回路の回路図であり、図６は、図５の回路における各位置での信号波形を示すタイミングチャートである。
【００４５】
図３において、本実施形態に係る電気光学装置は、ＴＦＴアレイ基板１０上に、クロック信号ＣＬＸ及び反転クロック信号ＣＬＸＢ間の位相差を低減する位相差補正回路１０８を備えている。
【００４６】
図５において、位相差補正回路１０８は、第１バッファ回路５０１と、双安定性回路５０２と、第２バッファ回路５０３とを備えている。第１バッファ回路はインバータ５０１ａ及び５０１ｂから、双安定性回路５０２はインバータ５０２ａ及び５０２ｂから、第２バッファ回路５０３はインバータ５０３ａ、５０３ａ’、５０３ｂ及び５０３ｂ’から夫々、構成されている。各インバータを構成する一方のトランジスタのソースは、第２電源配線８２と電気的に接続され、第２電源電位ＶＤＤＸが供給される。また、他方のトランジスタのドレインは、第１電源配線８１と電気的に接続され、第１電源電位ＶＳＳＸが供給される。
【００４７】
尚、図５に示した位相差補正回路１０８の回路構成は、一例であり、他の回路構成を採用することは勿論可能である。
【００４８】
図６に示すように、反転クロック信号ＣＬＸＢの位相が、クロック信号ＣＬＸの位相に対し、Ｒ１及びＲ１’の地点で期間Ｔだけ位相差が生じたとしても、双安定性回路５０２により、位相差が補正され、当該双安定性回路５０２から出力した地点Ｒ３及びＲ３’では位相差が、殆ど発生しない。
【００４９】
図５において、位相差補正回路１０８では、インバータ５０１ａ及び５０１ｂから構成されるバッファ回路５０１において、クロック信号ＣＬＸと反転クロック信号ＣＬＸＢを供給する回路におけるトランジスタの駆動能力を補うと共に、双方向性回路５０２の一方のインバータ５０２ａの出力を他方のインバータ５０２ｂの入力に、また他方のインバータ５０２ｂの出力を一方のインバータ５０２ａの入力に夫々供給することによって、夫々のインバータ５０２ａ及び５０２ｂの入力信号に正帰還をかけて位相差を無くす構成となっている。
【００５０】
更に、双安定性回路５０２の後に、第２バッファ回路５０３が設けてあり、この第２バッファ回路５０３の働きにより、双安定性回路５０２の駆動能力の低下を防止している。つまり、双安定性回路５０２からクロック信号線９２及び反転クロック信号線９３を引き回すことにより各回路にクロック信号ＣＬＸ及び反転クロック信号ＣＬＸＢを供給した場合には、クロック信号線９２及び反転クロック信号線９３の容量により、クロック信号ＣＬＸ及び反転クロック信号ＣＬＸＢが劣化することが考えられる。しかし、双安定性回路５０２の駆動能力の低下は第２バッファ回路５０３により防止され、クロック信号ＣＬＸ及び反転クロック信号ＣＬＸＢが良好にデータ線駆動回路１０１に供給されることになる。
【００５１】
上述のように双安定性回路５０２の駆動能力の低下を防止するためには、第２バッファ回路５０３のインバータ５０３ａ、５０３ａ’、５０３ｂ及び５０３ｂ’のオン抵抗は、できる限り低い値に設定することが必要となる。同様に、第１バッファ回路５０１の駆動能力の低下を防止するためには、双安定性回路５０２のインバータ５０２ａ及び５０２ｂのオン抵抗を、できる限り低い値に設定することが必要となる。このため、本実施形態のように、複数のインバータがカスケード接続された構成においては、各インバータを構成するトランジスタのチャネル長は一定で、後段のインバータを構成するトランジスタほどより大きなゲート幅Ｗで設計する必要がある。図５に示すように、本実施形態では、例えば、インバータを構成するトランジスタのゲート幅Ｗは、前段から順に、１００ｕｍ、２００ｕｍ、５００、１５００ｕｍのように設計されている。このように特に、最終段でのトランジスタを大きく設計する必要がある。
【００５２】
次に、本実施形態における、外部回路接続端子の配列及び引回配線のレイアウト、特に第１電源配線８１のレイアウトについて、図７を参照して詳細に説明する。
【００５３】
図７は、図１の電気光学装置における外部回路接続端子の配列及び引回配線のレイアウト、特に第１電源配線のレイアウトを示す平面図である。尚、図７では、複数の引回配線９０については、第１電源配線８１、第２電源配線８２、クロック信号線９２、イネーブル供給線９５及び走査線駆動回路用配線９９ｂのみを図示し、他の引回配線の図示を省略している。また、複数の引回配線９０は、互いに交差する部分においては、ＴＦＴアレイ基板１０上における互いに異なる層に配置された導電膜から形成されている。走査線駆動回路用配線９９ｂは、図３を参照して上述した走査線駆動回路用配線９９であって、複数の外部回路接続端子１０２のうち、ＴＦＴアレイ基板１０上で平面的に見て、第１電源配線８１が接続された端子と比べて第２辺（図３中、右側）に近い端子から引き回されているものである。
【００５４】
図７において、第１電源電位ＶＳＳＸを供給する第１電源配線８１は、外部回路接続端子１０２から、位相差補正回路１０８の第２辺側（図７中、右側）に沿って延在し、データ線駆動回路１０１（具体的には、データ線駆動回路１０１のバッファ回路４０３）における外部回路接続端子１０２とは反対側（図７中、上側）へ引き回された本線部８１０ａと、本線部８１０ａから分岐され、本線部８１０ａ及び位相差補正回路１０８を電気的に接続する分岐配線部８１０ｂとを有している。
【００５５】
本線部８１０ａは、第１本線部分８１１と、第２本線部分８１２と、第３本線部分８１３とを有している。
【００５６】
第１本線部分８１１は、バッファ回路４０３における外部回路接続端子１０２とは反対側（言い換えれば、データ線駆動回路１０１における外部回路接続端子１０２とは反対側、即ち、図７中、バッファ回路４０３より上側）において、第１辺に沿うように（図７中、Ｘ方向に沿って延びるように）形成されている。
【００５７】
第２本線部分８１２は、データ線駆動回路１０１に対して外部回路接続端子１０２と同じ側（即ち、図７中、データ線駆動回路１０１より下側）において、第１辺に沿うように（図７中、Ｘ方向に沿って延びるように）形成されている。
【００５８】
第３本線部分８１３は、位相差補正回路１０８と、走査線駆動回路用配線９９ｂにおける第２辺に沿うように（即ち、Ｙ方向に沿って延びるように）形成された配線部分との間に、第２辺に沿うように形成されている。
【００５９】
図７に示すように、本実施形態では特に、分岐配線部８１０ｂは、本線部８１０ａにおける第１本線部分８１１よりも外部回路接続端子１０２に近い側から分岐されている。即ち、分岐配線部８１０ｂは、本線部８１０ａのうち、外部回路接続端子１０２からデータ線駆動回路１０１へ引き回される経路上で見て、第１本線部分８１１よりも外部回路接続端子１０２に近い側において分岐されている。よって、第１電源配線８１は、当該第１電源配線８１が電気的に接続されている外部回路接続端子１０２から見れば、データ線駆動回路１０１（より具体的には、バッファ回路４０３）よりも先に位相差補正回路１０８に電気的に接続されている。言い換えれば、第１電源配線８１のうち、外部回路接続端子１０２から位相差補正回路１０８に至る配線部分の配線長は、外部回路接続端子１０２からデータ線駆動回路１０１に至る配線部分の配線長よりも短い。よって、第１電源配線８１における、位相差補正回路１０８に対して第１電源電位ＶＳＳＸを供給する配線部分の配線抵抗を小さくすることができ、位相差補正回路１０８に起因した第１電源電位ＶＳＳＸにおけるノイズ（例えば、第１電源配線８１上の第１電源電位ＶＳＳＸに対して、クロック信号ＣＬＸ及び反転クロック信号ＣＬＸＢの立ち上がりや立下りに応じて発生するスパイク状のノイズ）を低減することができる。従って、データ線駆動回路１０１及び位相補正回路１０８に、外部回路から外部回路接続端子１０２及び第１電源配線８１を介して安定して第１電源電位ＶＳＳＸを供給することができる。この結果、第１電源電位ＶＳＳＸにおけるノイズによって表示上の不具合が発生することを低減或いは防止することができる。
【００６０】
更に、本実施形態では特に、本線部８１０ａは、外部回路接続端子１０２から、位相差補正回路１０８の第２辺側（図７中、右側）に沿って延在し、データ線駆動回路１０１における外部回路接続端子１０２とは反対側（図７中、上側）へ引き回されており、位相差補正回路１０８と走査線駆動回路用配線９９ｂとの間に、第２辺に沿うように（即ち、Ｙ方向に沿って延びるように）形成された第３本線部分８１３を有しているので、位相差補正回路１０８と、走査線駆動回路用配線９９ｂとの間での電磁的な悪影響を及ぼし合うことを低減或いは防止することができる。即ち、本線部８１０ａの一部である第３本線部分８３０は、位相差補正回路１０８と走査線駆動回路用配線９９ｂとの間における電磁シールドとして機能することができる。従って、位相差補正回路１０８及び走査線駆動回路１０４を、殆ど或いは全く不具合なく動作させることが可能となり、結果的に、画像表示領域１０ａにおいて高品位な表示を行うことが可能となる。
【００６１】
加えて、図３及び図７において、本実施形態では特に、クロック信号線９２及び反転クロック信号線９３の各々は、複数の外部回路接続端子１０２のうち、第１電源配線８１が電気的に接続される端子と第２電源配線８２が電気的に接続される端子との間に位置する端子に電気的に接続され、且つ、少なくとも部分的に、ＴＦＴアレイ基板１０上で平面的に見て、第１電源配線８１及び第２電源配線８２の間に形成されている。よって、第１電源配線８１、第２電源配線８２、クロック信号線９２及び反転クロック信号線９３を、外部回路接続端子１０２からデータ線駆動回路１０１に至るまで、殆ど互いに交差しないように、ＴＦＴアレイ基板１０上に平面レイアウトすることができる。
【００６２】
ここで図８及び図９を参照して、本実施形態に係る比較例と比較することで、上述の如く構成された本実施形態の作用効果について更に検討する。
【００６３】
図８は、本実施形態の比較例における、図７と同趣旨の平面図である。図９は、比較例における、第１電源電位ＶＳＳＸ（グランド電位）の変動を示すタイミングチャートである。
【００６４】
図８に示す比較例では、第１電源配線８１は、ＴＦＴアレイ基板１０上で平面的に見て、外部回路接続端子１０２から、データ線駆動回路１０１における第３辺側（図８中、左側）へ引き回されており、その終端部において位相差補正回路１０８に電気的に接続されている。その他の構成については、図７を参照して上述した第１実施形態と概ね同様である。
【００６５】
言い換えれば、この比較例では、第１電源配線８１は、外部回路接続端子１０２から、データ線駆動回路１０１に対して位相差補正回路１０８とは反対側に引き回されると共に、当該第１電源配線８１が電気的に接続されている外部回路接続端子１０２から見て、データ線駆動回路１０１（より具体的には、バッファ回路４０３）よりも後に位相差補正回路１０８に電気的に接続されている。よって、第１電源配線８１における外部回路接続端子１０２から位相差補正回路１０８に至る配線部分の配線長は、本実施形態の場合と比較して顕著に長い。
【００６６】
図９に示すように、このように構成された比較例においては、第１電源電位ＶＳＳＸ（ＧＮＤ）が、クロック信号ＣＬＸ及び反転クロック信号ＣＬＸＢの立ち上がりや立下りに応じて大きく振られる事態が発生する。或いは、クロック信号ＣＬＸ及び反転クロック信号ＣＬＸＢの立ち上がりや立下りに応じて、第１電源電位ＶＳＳＸが振られて変動する。言い換えれば、第１電源配線８１上の第１電源電位ＶＳＳＸに対して、クロック信号ＣＬＸ及び反転クロック信号ＣＬＸＢの立ち上がりや立下りに応じたスパイク状のノイズが発生する。即ち、例えばグランド電位に設定された第１電源電位ＶＳＳＸにおいて、クロック信号ＣＬＸ及び反転クロック信号ＣＬＸＢの立ち上がりや立下りに応じて発生するスパイク状のノイズが発生してしまう。
【００６７】
このようなノイズの発生は、位相差補正回路１０８における最終段のトランジスタが大きいことに起因している。上述したように位相差補正回路１０８を構成する第１バッファ回路５０１及び双安定性回路５０２の駆動能力の低下を防止するためには、最終段でのトランジスタを大きく設計する必要がある。このため、そのグランド電位側に流れる電流が無視し得ないほどに大きくなる。従って、比較例のように第１電源配線８１の外部回路接続端子１０２から位相差補正回路１０８の配線長が長い場合には、上述のように、グランド電位に設定された第１電源信号ＶＳＳＸにおいて、クロック信号ＣＬＸ及び反転クロック信号ＣＬＸＢの立ち上がりや立下りに応じて発生するスパイク状のノイズが発生してしまうのである。
【００６８】
これに対して、本実施形態では、第１電源配線８１は、データ線駆動回路１０１よりも先に位相差補正回路１０８に電気的に接続されており、第１電源配線８１の外部回路接続端子１０２から位相差補正回路１０８に至る配線長は、比較例と比べて顕著に短い。よって、位相差補正回路１０８を構成するトランジスタが大きく、より具体的には複数段からなるインバータの最終段で特にトランジスタが大きく、そのグランド電位側に流れる電流が無視し得ないほどに大きい場合であっても、外部回路接続端子１０２及び第１電源配線８１を介して、外部回路から極めて安定な電源の供給を行うことが可能となる。
【００６９】
従って、クロック信号ＣＬＸ及び反転クロック信号ＣＬＸＢによる画像信号ＶＩＤに対する高周波ノイズを低減しつつ、第１電源信号ＶＳＳＸが、クロック信号ＣＬＸ及び反転クロック信号ＣＬＸＢの立ち上がりや立下りに応じて大きく振られる事態を回避できる。
【００７０】
以上説明したように、本実施形態に係る電気光学装置によれば、位相差補正回路１０８に起因した、第１電源電位ＶＳＳＸにおけるノイズや走査線駆動回路用信号線９９ｂ上の信号におけるノイズが低減されており、高品位な表示を行うことが可能となる。
【００７１】
＜第２実施形態＞
次に、第２実施形態に係る電気光学装置について、図１０を参照して説明する。
【００７２】
図１０は、第２実施形態における、図７と同趣旨の平面図である。尚、図１０において、図１から図７に示した第１実施形態に係る構成要素と同様の構成要素に同一の参照符合を付し、それらの説明は適宜省略する。
【００７３】
第２実施形態に係る電気光学装置は、上述した第１実施形態における分岐配線部８１０ｂに代えて分岐配線部８１０ｃを備える点で、上述した第１実施形態に係る電気光学装置と異なり、その他の点については、上述した第１実施形態に係る電気光学装置と概ね同様に構成されている。
【００７４】
図１０に示すように、本実施形態では特に、分岐配線部８１０ｃは、本線部８１０ａにおける第２本線部分８１２から分岐され、位相差補正回路１０８に電気的に接続されている。よって、上述した第１実施形態と同様に、第１電源配線８１は、当該第１電源配線８１が電気的に接続されている外部回路接続端子１０２から見れば、データ線駆動回路１０１（より具体的には、バッファ回路４０３）よりも先に位相差補正回路１０８に電気的に接続されている。更に、第１電源配線８１のうち、外部回路接続端子１０２から位相差補正回路１０８に至る配線部分の配線長が、上述した第１実施形態と比べて短い。従って、第１電源配線８１における、位相差補正回路１０８に対して第１電源電位ＶＳＳＸを供給する配線部分の配線抵抗を、より一層小さくすることができ、位相差補正回路１０８に起因した第１電源電位ＶＳＳＸにおけるノイズをより一層確実に低減することができる。
【００７５】
＜電子機器＞
次に、上述した電気光学装置である液晶装置を各種の電子機器に適用する場合について説明する。
【００７６】
先ず、この液晶装置をライトバルブとして用いたプロジェクタについて、図１１を参照して説明する。図１１は、プロジェクタの構成例を示す平面図である。この図１１に示されるように、プロジェクタ１１００内部には、ハロゲンランプ等の白色光源からなるランプユニット１１０２が設けられている。このランプユニット１１０２から射出された投射光は、ライトガイド１１０４内に配置された４枚のミラー１１０６及び２枚のダイクロイックミラー１１０８によってＲＧＢの３原色に分離され、各原色に対応するライトバルブとしての液晶パネル１１１０Ｒ、１１１０Ｂ及び１１１０Ｇに入射される。
【００７７】
液晶パネル１１１０Ｒ、１１１０Ｂ及び１１１０Ｇの構成は、上述した液晶装置と同等であり、画像信号処理回路から供給されるＲ、Ｇ、Ｂの原色信号でそれぞれ駆動されるものである。そして、これらの液晶パネルによって変調された光は、ダイクロイックプリズム１１１２に３方向から入射される。このダイクロイックプリズム１１１２においては、Ｒ及びＢの光が９０度に屈折する一方、Ｇの光が直進する。従って、各色の画像が合成される結果、投射レンズ１１１４を介して、スクリーン等にカラー画像が投写されることとなる。
【００７８】
ここで、各液晶パネル１１１０Ｒ、１１１０Ｂ及び１１１０Ｇによる表示像について着目すると、液晶パネル１１１０Ｇによる表示像は、液晶パネル１１１０Ｒ、１１１０Ｂによる表示像に対して左右反転することが必要となる。
【００７９】
尚、液晶パネル１１１０Ｒ、１１１０Ｂ及び１１１０Ｇには、ダイクロイックミラー１１０８によって、Ｒ、Ｇ、Ｂの各原色に対応する光が入射するので、カラーフィルタを設ける必要はない。
【００８０】
尚、図１１を参照して説明した電子機器の他にも、モバイル型のパーソナルコンピュータや、携帯電話、液晶テレビ、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた装置等が挙げられる。そして、これらの各種電子機器に適用可能なのは言うまでもない。
【００８１】
また本発明は、上述の実施形態で説明した液晶装置以外にも、シリコン基板上に素子を形成する反射型液晶装置（ＬＣＯＳ）、プラズマディスプレイ（ＰＤＰ）、電界放出型ディスプレイ（ＦＥＤ、ＳＥＤ）、有機ＥＬディスプレイ、デジタルマイクロミラーデバイス（ＤＭＤ）、電気泳動装置等にも適用可能である。
【００８２】
本発明は、上述した実施形態に限られるものではなく、特許請求の範囲及び明細書全体から読み取れる発明の要旨或いは思想に反しない範囲で適宜変更可能であり、そのような変更を伴う電気光学装置及び該電気光学装置を備えてなる電子機器もまた本発明の技術的範囲に含まれるものである。
【図面の簡単な説明】
【００８３】
【図１】第１実施形態に係る電気光学装置の構成を示す平面図である。
【図２】図１のＨ−Ｈ’線での断面図である。
【図３】外部回路接続端子の配列及び引回配線のレイアウトを示す部分拡大平面図である。
【図４】変形例における画像信号線のレイアウトを示す部分拡大図である。
【図５】位相差補正回路の回路図である。
【図６】図５の回路における各位置での信号波形を示すタイミングチャートである。
【図７】第１電源配線のレイアウトを示す平面図である。
【図８】比較例における、図７と同趣旨の平面図である。
【図９】比較例における、第１電源電位の変動を示すタイミングチャートである。
【図１０】第２実施形態における、図７と同趣旨の平面図である。
【図１１】電気光学装置を適用した電子機器の一例たるプロジェクタの構成を示す平面図である。
【符号の説明】
【００８４】
３…走査線、６…データ線、９ａ…画素電極、１０…ＴＦＴアレイ基板、１０ａ…画像表示領域、２０…対向基板、２１…対向電極、５０…液晶層、８１…第１電源配線、８２…第２電源配線、９２…クロック信号線、９３…反転クロック信号線、１０１…データ線駆動回路、１０２…外部回路接続端子、１０４…走査線駆動回路、１０８…位相差補正回路、８１０ａ…本線部、８１０ｂ…分岐配線部、８１１…第１本線部分、８１２…第２本線部分、８１３…第３本線部分
【図１】
2010128253.tif 000003
【図２】
2010128253.tif 000004
【図３】
2010128253.tif 000005
【図４】
2010128253.tif 000006
【図５】
2010128253.tif 000007
【図６】
2010128253.tif 000008
【図７】
2010128253.tif 000009
【図８】
2010128253.tif 000010
【図９】
2010128253.tif 000011
【図１０】
2010128253.tif 000012
【図１１】
2010128253.tif 000013